【手続補正書】
【提出日】令和3年9月10日(2021.9.10)
【手続補正１】
【補正対象書類名】明細書
【補正対象項目名】発明の名称
【補正方法】変更
【補正の内容】
【発明の名称】プログラム、制御方法、印刷装置、及び、印刷データ生成装置
【手続補正２】
【補正対象書類名】明細書
【補正対象項目名】０００１
【補正方法】変更
【補正の内容】
【０００１】
本明細書は、プログラム、制御方法、印刷装置、及び、印刷データ生成装置に関する。
【手続補正３】
【補正対象書類名】明細書
【補正対象項目名】０００８
【補正方法】変更
【補正の内容】
【０００８】
本発明の一態様に係るプログラムは、印刷装置において印刷する印刷内容の印刷パターンを作成する印刷制御装置のコンピュータに、印刷フォーマットを取得し、１以上の項目によって構成される複数の識別情報を取得し、前記取得された前記印刷フォーマットに合わせて、前記取得された前記識別情報を構成する項目の少なくとも１つを前記複数の識別情報毎に配置して、前記印刷パターンを複数作成する処理を実行させることを特徴とする。
本発明の一態様に係るプログラムは、印刷データ生成装置のコンピュータに、複数の第１種の項目によって構成される印刷フォーマットを取得し、複数の第２種の項目によって構成される識別情報を取得し、取得した前記印刷フォーマットの前記複数の第１種の項目のうち１つの第１種の項目と、取得した前記識別情報の前記複数の第２種の項目のうち１つの第２種の項目とが、対応関係にあるか否かについて判定した結果、前記対応関係にあると判定した場合、取得した前記印刷フォーマットと、取得した前記識別情報のうち前記１つの第２種の項目の情報とに基づいて、印刷パターンを作成する、処理を実行させることを特徴とする。
【手続補正４】
【補正対象書類名】明細書
【補正対象項目名】００１０
【補正方法】変更
【補正の内容】
【００１０】
本発明の一態様に係る制御方法は、印刷装置において印刷する印刷内容の印刷パターンを作成する印刷制御装置の制御方法であって、印刷フォーマットを取得し、１以上の項目によって構成される複数の識別情報を取得し、前記取得された前記印刷フォーマットに合わせて、前記取得された前記識別情報を構成する前記項目の少なくとも１つを前記複数の識別情報毎に配置して、前記印刷パターンを複数作成することを特徴とする。
本発明の一態様に係る制御方法は、印刷データ生成装置の制御方法であって、複数の第１種の項目によって構成される印刷フォーマットを取得し、複数の第２種の項目によって構成される識別情報を取得し、取得した前記印刷フォーマットの前記複数の第１種の項目のうち１つの第１種の項目と、取得した前記識別情報の前記複数の第２種の項目のうち１つの第２種の項目とが、対応関係にあるか否かについて判定した結果、前記対応関係にあると判定した場合、取得した前記印刷フォーマットと、取得した前記識別情報のうち前記１つの第２種の項目の情報とに基づいて、印刷パターンを作成する、ことを特徴とする。
【手続補正５】
【補正対象書類名】明細書
【補正対象項目名】００１２
【補正方法】変更
【補正の内容】
【００１２】
本発明の一態様に係る印刷装置は、１以上の項目によって構成される複数の識別情報を取得する識別情報取得手段と、印刷フォーマットに合わせて、前記取得された前記識別情報を構成する項目の少なくとも１つを前記複数の識別情報毎に配置して、印刷パターンを複数作成する作成手段と、を備えることを特徴とする。
本発明の一態様に係る印刷データ生成装置は、複数の第１種の項目によって構成される印刷フォーマットを取得し、複数の第２種の項目によって構成される識別情報を取得し、取得した前記印刷フォーマットの前記複数の第１種の項目のうち１つの第１種の項目と、取得した前記識別情報の前記複数の第２種の項目のうち１つの第２種の項目とが、対応関係にあるか否かについて判定した結果、前記対応関係にあると判定した場合、取得した前記印刷フォーマットと、取得した前記識別情報のうち前記１つの第２種の項目の情報とに基づいて、印刷パターンを作成する、制御部を備えることを特徴とする。
【手続補正６】
【補正対象書類名】特許請求の範囲
【補正対象項目名】全文
【補正方法】変更
【補正の内容】
【特許請求の範囲】
【請求項１】
印刷装置において印刷する印刷内容の印刷パターンを作成する印刷制御装置のコンピュータに、
１以上の項目によって構成される識別情報を取得し、
複数種類の印刷フォーマットに合わせて、前記取得された前記識別情報を構成する前記項目の少なくとも１つから前記印刷パターンを少なくとも１つ作成する処理を実行させることを特徴とするプログラム。
【請求項２】
前記識別情報として複数の個人情報を取得し、
前記作成した少なくとも１つの印刷パターンから選択された前記印刷パターンの印刷フォーマットに合わせて、前記取得された前記個人情報を構成する前記項目の少なくとも１つを前記複数の個人情報毎に配置して、前記印刷パターンを複数作成する処理を実行させることを特徴とする請求項１に記載のプログラム。
【請求項３】
印刷装置において印刷する印刷内容の印刷パターンを作成する印刷制御装置のコンピュータに、
印刷フォーマットを取得し、
１以上の項目によって構成される複数の識別情報を取得し、
前記取得された前記印刷フォーマットに合わせて、前記取得された前記識別情報を構成する項目の少なくとも１つを前記複数の識別情報毎に配置して、前記印刷パターンを複数作成する処理を実行させることを特徴とするプログラム。
【請求項４】
前記取得する前記識別情報は、少なくとも個人の姓または名前を含むことを特徴とする請求項１〜３のうち何れかに記載のプログラム。
【請求項５】
前記印刷フォーマットは、文字またはキャラクタのサイズ、種別、レイアウト、装飾のうち少なくとも１つ以上の組み合わせにより構成されることを特徴とする請求項１〜４のうち何れかに記載のプログラム。
【請求項６】
前記作成された少なくとも１つの印刷パターンに基づき、前記印刷装置に対し一括して印刷処理を実行させることを特徴とする請求項１〜５のうち何れかに記載のプログラム。
【請求項７】
ユーザの操作に基づき、前記印刷フォーマットを編集する処理を実行させることを特徴とする請求項１〜６のうち何れかに記載のプログラム。
【請求項８】
印刷装置において印刷する印刷内容の印刷パターンを作成する印刷制御装置の制御方法であって、
１以上の項目によって構成される識別情報を取得し、
複数種類の印刷フォーマットに合わせて、前記取得された前記識別情報を構成する前記項目の少なくとも１つから前記印刷パターンを少なくとも１つ作成することを特徴とする印刷制御装置の制御方法。
【請求項９】
印刷装置において印刷する印刷内容の印刷パターンを作成する印刷制御装置の制御方法であって、
印刷フォーマットを取得し、
１以上の項目によって構成される複数の識別情報を取得し、
前記取得された前記印刷フォーマットに合わせて、前記取得された前記識別情報を構成する前記項目の少なくとも１つを前記複数の識別情報毎に配置して、前記印刷パターンを複数作成することを特徴とする印刷制御装置の制御方法。
【請求項１０】
１以上の項目によって構成される識別情報を取得する識別情報取得手段と、
複数種類の印刷フォーマットに合わせて、前記取得された前記識別情報を構成する前記項目の少なくとも１つから印刷パターンを少なくとも１つ作成する作成手段と、を備えることを特徴とする印刷装置。
【請求項１１】
１以上の項目によって構成される複数の識別情報を取得する識別情報取得手段と、
印刷フォーマットに合わせて、前記取得された前記識別情報を構成する項目の少なくとも１つを前記複数の識別情報毎に配置して、印刷パターンを複数作成する作成手段と、を備えることを特徴とする印刷装置。
【請求項１２】
複数の第１種の項目によって構成される印刷フォーマットを取得し、
複数の第２種の項目によって構成される識別情報を取得し、
取得した前記印刷フォーマットの前記複数の第１種の項目のうち１つの第１種の項目と、取得した前記識別情報の前記複数の第２種の項目のうち１つの第２種の項目とが、対応関係にあるか否かについて判定した結果、前記対応関係にあると判定した場合、取得した前記印刷フォーマットと、取得した前記識別情報のうち前記１つの第２種の項目の情報とに基づいて、印刷パターンを作成する、制御部を備える
ことを特徴とする印刷データ作成装置。
【請求項１３】
前記制御部は、
前記対応関係にないと判定した場合、取得した前記印刷フォーマットと、取得した前記識別情報のうち前記１つの第２種の項目の情報とに基づく前記印刷パターンを作成しない、
ことを特徴とする請求項１２に記載の印刷データ作成装置。
【請求項１４】
前記制御部は、
前記印刷フォーマットを複数取得し、
取得した前記複数の印刷フォーマットについて前記判定を行い、
前記判定の結果、前記複数の印刷フォーマットのうち２つ以上の印刷フォーマットについて前記対応関係にあると判定した場合、前記対応関係にあると判定した前記２つ以上の印刷フォーマットの各印刷フォーマットと、取得した前記識別情報のうち前記１つの第２種の項目の情報とに基づいて、２つ以上の前記印刷パターンを作成する、
ことを特徴とする請求項１２又は１３に記載の印刷データ作成装置。
【請求項１５】
前記制御部は、
前記識別情報を複数取得し、
取得した前記複数の識別情報について前記判定を行い、
前記判定の結果、前記複数の識別情報のうち２つ以上の識別情報について前記対応関係にあると判定した場合、取得した前記印刷フォーマットと、前記対応関係にあると判定した前記２つ以上の前記識別情報の第２種の項目の情報とに基づいて、２つ以上の前記印刷パターンを作成する、
ことを特徴とする請求項１２〜１４のうち何れかに記載の印刷データ作成装置。
【請求項１６】
取得する前記識別情報は、少なくとも個人の姓または名前を含む、
ことを特徴とする請求項１２〜１５のうち何れかに記載の印刷データ作成装置。
【請求項１７】
作成された前記印刷パターンに基づいて、被印刷媒体へ印刷を行う印刷部をさらに備える、
ことを特徴とする請求項１２〜１６のうち何れかに記載の印刷データ作成装置。
【請求項１８】
取得する前記印刷フォーマットは、文字またはキャラクタのサイズ、種別、レイアウト、装飾のうち少なくとも１つ以上の組み合わせにより構成される、
ことを特徴とする請求項１２〜１６のうち何れかに記載の印刷データ生成装置。
【請求項１９】
印刷データ作成装置の制御部によって実行される制御方法であって、
複数の第１種の項目によって構成される印刷フォーマットを取得し、
複数の第２種の項目によって構成される識別情報を取得し、
取得した前記印刷フォーマットの前記複数の第１種の項目のうち１つの第１種の項目と、取得した前記識別情報の前記複数の第２種の項目のうち１つの第２種の項目とが、対応関係にあるか否かについて判定した結果、前記対応関係にあると判定した場合、取得した前記印刷フォーマットと、取得した前記識別情報のうち前記１つの第２種の項目の情報とに基づいて、印刷パターンを作成する、ことを含む、
ことを特徴とする印刷データ作成装置。
【請求項２０】
印刷データ作成装置のコンピュータに、
複数の第１種の項目によって構成される印刷フォーマットを取得し、
複数の第２種の項目によって構成される識別情報を取得し、
取得した前記印刷フォーマットの前記複数の第１種の項目のうち１つの第１種の項目と、取得した前記識別情報の前記複数の第２種の項目のうち１つの第２種の項目とが、対応関係にあるか否かについて判定した結果、前記対応関係にあると判定した場合、取得した前記印刷フォーマットと、取得した前記識別情報のうち前記１つの第２種の項目の情報とに基づいて、印刷パターンを作成する、処理を実行させる
ことを特徴とする印刷データ作成装置。